(57)【要約】本発明は複数のチャネルを含む周波数帯域内の信号を受信する手段を具備する試験装置（２１）に関する。試験装置は、上記周波数帯域をスキャンする手段（２１０，２１３）、デジタル信号を含む少なくとも一つのチャネルを検出する手段（２１１）、上記デジタル信号のビット誤り率を測定する手段（２１２）、上記ビット誤り率と少なくとも１個の閾値との間で少なくとも１回の比較を実行する手段（２１３）、および、上記比較に基づいて上記チャネルの品質を決定する手段をさらに具備する。
2006522526.tif 000002
【特許請求の範囲】
【請求項１】
複数のチャネルを含む周波数帯域内の信号を受信する手段と、
前記周波数帯域をスキャンする手段と、
デジタル信号を含む少なくとも一つのチャネルを検出する手段と、
前記デジタル信号のビット誤り率を測定する手段と、
前記ビット誤り率と少なくとも１つの閾値との間で少なくとも１回の比較を実行する手段と、
前記比較に基づいて前記チャネルの品質を決定する手段と、
を具備する試験装置。
【請求項２】
前記デジタル信号内の訂正不能のパケットの個数を測定する手段をさらに具備し、
前記品質が前記個数に基づいてさらに決定される、
請求項１に記載の試験装置。
【請求項３】
前記周波数帯域内でデジタル信号を含むすべてのチャネルを検出する手段と、
所定の品質を有するチャネルの個数を決定する手段と、
を具備する、請求項１または請求項２に記載の試験装置。
【請求項４】
複数のチャネルを含む周波数帯域内でデジタル信号を含む少なくとも一つのチャネルの品質を決定する方法であって、
前記周波数帯域をスキャンするステップと、
デジタル信号を含む少なくとも一つのチャネルを検出するステップと、
前記デジタル信号のビット誤り率を測定するステップと、
前記ビット誤り率と少なくとも１つの閾値との間で少なくとも１回の比較を実行するステップと、
前記比較に基づいて前記チャネルの品質を決定するステップと、
を含む方法。
【請求項５】
前記デジタル信号内の訂正不能のパケットの個数を測定するステップをさらに具備し、
前記品質が前記個数に基づいてさらに決定される、
請求項４に記載の方法。
【請求項６】
前記周波数帯域内でデジタル信号を含むすべてのチャネルを検出するステップと、
所定の品質を有するチャネルの個数を決定するステップと、
をさらに含む、請求項４または請求項５に記載の方法。
【請求項７】
プロセッサまたはコンピュータにロードされたときに、前記プロセッサまたは前記コンピュータに請求項４から請求項６のいずれか一項に記載の方法を実行させるための一組の命令を含む、コンピュータプログラム。
【請求項８】
信号を送信する少なくとも１つの発信機と、
伝送チャネルと、
前記信号を受信する受信機と、
請求項１から請求項３のいずれか一項に記載の試験装置と、
を具備する電気通信ネットワーク。
【発明の詳細な説明】
【技術分野】
【０００１】
本発明はデジタル電気通信の試験装置に関する。
【０００２】
本発明はまたデジタル電気通信における少なくとも一つのチャネルの品質を決定する方法とこの方法を実施するコンピュータプログラムとに関する。
【０００３】
本発明はさらにこのような試験装置を具備する電気通信ネットワークに関する。
【０００４】
本発明は特に、ＤＶＢ−Ｔ（ＤＶＢ−Ｔは地上波デジタルビデオ放送を表す）用の試験装置のようなデジタル地上波テレビ用の試験装置に関連する。
【背景技術】
【０００５】
デジタル電気通信において、デジタル信号は、たとえば、発信機によって送信され、アンテナを用いてユーザによって受信される。受信デジタル信号の品質を知ることは役に立つことがよくある。たとえば、受信信号の品質はアンテナを適切な方向へ向けるために使用される。さらに、デジタル信号が視聴覚コンテンツを表す場合、ユーザが高価なテレビジョンセットを購入する前に受信信号の品質を知ることは役に立つであろう。
【０００６】
「Ｐｒｏｄｉｇ−２」という名前でＰｒｏｍａｘによって発表されている試験装置は、アナログ信号およびＤＶＢ−Ｔ規格に準拠したデジタル地上波信号の品質を決定することができる。この試験装置は複数のチャネルを含む周波数帯域で信号を受信する。チャネルごとに、この試験装置は、搬送波対雑音比（Ｃ／Ｎ）だけでなく、レベルすなわちチャネルパワーを測定する。チャネルの品質が良好である旨の指標は、レベルすなわちパワーが推奨マージンの間に収まり、かつ、Ｃ／Ｎ比が最小推奨値よりも大きい場合に表示される。
【０００７】
しかし、デジタル信号のパワーおよびＣ／Ｎ比は、必ずしもデジタル信号の品質が良好であることを保証しない。実際には、デジタル信号には、アンテナに到達する前に信号の反射を原因としてエコーが存在する。このケースでは、複数個の類似したデジタル信号が異なる時刻でアンテナに受信されるマルチパスチャネルが見られる。これらの時刻の差がＤＶＢ−Ｔのため規定されたガードインターバルよりも長い場合、視聴覚コンテンツの品質は不良であろう。しかし、このケースでは、パワーは推奨マージンの間に収まり、Ｃ／Ｎ比は最小推奨値よりも大きい。その上、同じチャネルがアナログ信号およびデジタル信号のために隣接したエリアで使用されることがある。アナログ信号とデジタル信号が同じアンテナで受信される場合、視聴覚コンテンツの品質は不良である。しかし、このケースでは、同様にパワーは推奨マージンの間に収まり、Ｃ／Ｎ比は最小推奨値よりも大きい。
【発明の開示】
【発明が解決しようとする課題】
【０００８】
本発明の目的は、受信デジタル信号の品質の決定が改良された試験装置を提供することである。
【課題を解決するための手段】
【０００９】
このため、本発明は、複数のチャネルを含む周波数帯域内の信号を受信する手段、上記周波数帯域をスキャンする手段、デジタル信号を含む少なくとも一つのチャネルを検出する手段、上記デジタル信号のビット誤り率を測定する手段、上記ビット誤り率と少なくとも１個の閾値との間で少なくとも１回の比較を実行する手段、および、上記比較に基づいて上記チャネルの品質を決定する手段を具備する試験装置を提案する。
【００１０】
本発明によれば、デジタル信号を含むチャネルの品質の決定はこのデジタル信号のビット誤り率に基づいている。その結果として、デジタル信号の品質は検出されたビット誤り率に直接依存するので、この決定は改良される。
【００１１】
好適な一実施形態では、試験装置は、デジタル信号内の訂正不能のパケットの個数を測定する手段をさらに具備し、上記品質が上記個数に基づいてさらに決定される。これにより、デジタル信号の品質の決定がさらに改良される。実際には、ビット誤り率はかなり長い時間に亘って測定されるので、上記ビット誤り率と閾値との間の比較によってチャネルの良好な品質が得られ、一方、デジタル信号はバーストエラーを含み、バーストエラーは訂正されず、実際には結果として生じる信号を劣化させる。これらの訂正できない誤りを考慮して、デジタル信号の品質の決定を改良する。
【００１２】
本発明の有利な実施形態では、試験装置は、その周波数帯域内でデジタル信号を含むすべてのチャネルを検出する手段と、所定の品質を有するチャネルの個数を決定する手段とを具備する。
【００１３】
この有利な実施形態では、試験装置は、たとえば、良好な品質を有するデジタル信号を含むチャネルの個数の指標を提供する。この指標はユーザが各チャネルを次々に試験する必要性を伴うことなく取得される。その結果として、試験装置は非常に簡単に使用できる。その上、閾値のみならず周波数帯域がこの試験装置内で予め定められているならば、試験装置はさらに簡単に使用できる。実際には、ユーザは、アンテナの出力を試験装置に接続するだけで、良好な品質で受信するチャネルの個数が分かる。
【００１４】
本発明はまた、複数のチャネルを含む周波数帯域内でデジタル信号を含む少なくとも一つのチャネルの品質を決定する方法であって、上記周波数帯域をスキャンするステップと、デジタル信号を含む少なくとも一つのチャネルを検出するステップと、上記デジタル信号のビット誤り率を測定するステップと、上記ビット誤り率と少なくとも１個の閾値との間で少なくとも１回の比較を実行するステップと、上記比較に基づいて上記チャネルの品質を決定するステップと、を含む方法に関する。
【００１５】
有利的には、この方法は、その周波数帯域内でデジタル信号を含むすべてのチャネルを検出するステップと、所定の品質を有するチャネルの個数を決定するステップと、をさらに含む。
【００１６】
本発明の上記の態様およびその他の態様は以下に説明される実施形態から明らかであり、実施形態を参照して解明される。
【発明を実施するための最良の形態】
【００１７】
次に、一例として添付図面を参照して本発明をより詳細に説明する。
【００１８】
複数のチャネルを含む周波数帯域が図１ａに示されている。本実施例では、周波数帯域は１１個のチャネル１０１〜１１１を含む。本発明は、様々な個数のチャネルを含む周波数帯域内の信号に適用される。実際には、ＤＶＢ−Ｔ規格のような同一標準規格の場合でさえ、チャネルの個数は地理的エリアごとに異なる。たとえば、フランスでは、ＤＶＢ−Ｔ信号は、１７４〜２２３メガヘルツにより構成されるＶＨＦ周波数帯域（ＶＨＦは超短波を表す）のバンド３と、４７０〜８６２メガヘルツにより構成されるＵＨＦ周波数帯域（ＵＨＦは極超短波を表す）のバンド４および５で放送される。チャネルの幅もまたテクノロジーおよび地理的エリアに応じて異なる。たとえば、フランスでは、ＤＶＢ−Ｔのため使用されるチャネルの長さは８メガヘルツであるが、他国は６または７メガヘルツを選択する。
【００１９】
その結果として、本発明は、複数の信号が所定の幅を有するチャネルにより構成された周波数帯域内に含まれるならば直ちにその複数の信号に適用可能であることに注意することが重要である。たとえば、本発明は、ＤＡＢ信号（ＤＡＢはデジタルオーディオ放送を表す）、米国におけるデジタルテレビのために使用されるＡＴＳＣ信号（ＡＴＳＣはアドバンストテレビジョンシステム委員会を表す）、または、日本におけるデジタルテレビのために使用されるＩＳＤＢ−Ｔ信号（ＩＳＤＢ−Ｔは地上波の統合サービスデジタル放送を表す）に適用される。しかし、衛星を用いて放送される信号はチャネルを含まない周波数帯域に入るので、本発明はＤＶＢ−Ｓ規格（ＤＶＢ−Ｓは衛星波デジタルビデオ放送を表す）を使用する衛星テレビには適用できない。
【００２０】
以下の説明は、テレビ信号、特に、標準規格ＤＶＢ−Ｔを使用するデジタルビデオ信号に適用される。
【００２１】
図１ａの実施例では、例示された周波数帯域は１１個のチャネル１０１〜１１１を含む。第１のチャネル１０１は信号を含まない。第２のチャネル１０２はアナログテレビ信号を含む。第３のチャネル１０３は信号を含まない。第４のチャネル１０４はデジタルテレビ信号を含む。このようなデジタルテレビ信号はＤＢＶ−Ｔにおいてマルチプレックスと称される。第５のチャネル１０５はアナログ信号を含み、以下同様に続く。図１ａにおいて、信号は概略的に示されている。図１ｂは、図１ａの第４、第５および第６のチャネル１０４〜１０６に対応する測定信号の詳細図を与える。
【００２２】
本発明による試験装置は図２に示されている。このような試験装置２１は、チューナ２１０、復調器２１１、デジタル誤り訂正器２１２、および、コントローラ２１３を具備する。試験装置２１はチャネルを含む周波数帯域内の信号を受信することが意図されている。たとえば、試験装置は、アンテナの出力と接続されたソケットのような受信手段を用いて、アンテナから信号を受信する。以下の説明中、受信信号は図１ａに示された信号である。
【００２３】
試験装置２１が信号を受信するとき、それは、マルチプレックス、すなわち、デジタル信号を見つけるために信号の周波数帯域をスキャンする。スキャンされる周波数帯域は試験装置２１内で予め定めることができる。たとえば、周波数帯域は、フランスで使用されるように意図されたＤＶＢ−Ｔ用の試験装置では１７４〜８６２メガヘルツの値域である。周波数帯域はまた、インタフェースを用いてユーザによって、または、コントローラ２１３内のソフトウェアアプリケーションのような手段によって決定され得る。周波数帯域をチャネルごとにスキャンするために、試験装置２１はまたチャネルの幅を知ることが必要である。この幅は試験装置２１内で予め定めてもよく、たとえば、フランスで使用されることを意図したＤＶＢ−Ｔ用の試験装置では８メガヘルツであり、または、インタフェースを用いてユーザによって、もしくは、コントローラ２１３内のソフトウェアアプリケーションのような手段によって決定してもよい。
【００２４】
図１ａの実施例では、コントローラ２１３は、試験装置２１が１１個のチャネル１０１〜１１１をスキャンしなければならないことが分かっている。最初に、コントローラ２１３は、チューナ２１０が第１のチャネル１０１の中心周波数に対応する周波数で受信された信号を、チューナ２１０の出力周波数である中間周波数へ変換するように、チューナ２１０へ命令を送信する。コントローラ２１３は第１のチャネル１０１の下側周波数、ならびに、第１のチャネル１０１の幅を知っているので、第１のチャネル１０１の中心周波数は容易に決定される。
【００２５】
次に、チューナ２１０の出力における信号は復調器２１１によって復調される。本実施例では、第１のチャネル１０１に信号はないので、復調器２１１はチューナ２１０の出力で信号を復調できない。このケースでは、復調器２１１は復調信号が存在しない旨をコントローラ２１３へ知らせる。
【００２６】
次に、コントローラ２１３はチューナ２１０へ命令を送信し、チューナ２１０は第２のチャネル１０２の中心周波数で受信された信号を中間周波数の信号へ変換する。第２のチャネル１０２の中心周波数は、第１のチャネル１０１の中心周波数にチャネルの幅を加算することにより容易に決定される。第２のチャネル１０２上の信号はアナログであるため、復調器２１１はチューナ２１０の出力で信号を復調できないので、復調信号が存在しない旨をコントローラ２１３へ知らせる。
【００２７】
次に、コントローラ２１３はチューナ２１０へ命令を送信し、チューナ２１０は第３のチャネル１０３の中心周波数で受信された信号を中間周波数の信号へ変換する。第３のチャネル１０３上に信号が存在しないので、復調器２１１は復調信号が存在しない旨をコントローラ２１３へ知らせる。
【００２８】
次に、コントローラ２１３はチューナ２１０へ命令を送信し、チューナ２１０は第４のチャネル１０４の中心周波数で受信された信号を中間周波数の信号へ変換する。第４のチャネル１０４はマルチプレックスを含むので、対応するデジタル信号が復調器２１１によって復調され、復調器は第４のチャネル１０４上にマルチプレックスが存在する旨をコントローラへ知らせる。復調信号はデジタル誤り訂正器２１２へ送信され、それは第４のチャネル１０４上のデジタル信号のビット誤り率を決定する。デジタル誤り訂正器は図３に関してより詳細に説明される。
【００２９】
ビット誤り率はコントローラ２１３へ送信され、コントローラ２１３はこのビット誤り率を閾値と比較する。ビット誤り率がこの閾値よりも高いならば、コントローラ２１３はチャネル１０４上のマルチプレックスの品質が悪いと決定する。ビット誤り率が閾値よりも低いならば、コントローラ２１３はチャネル１０４上のマルチプレックスの品質が良好であると決定する。
【００３０】
試験装置２１で使用される閾値の実施例は、１０−４または２×１０−４である。複数の閾値が試験装置２１で使用可能である点に注意することが重要である。たとえば、第１の閾値が第２の閾値よりも大きい第１および第２の閾値が使用され、３個の異なるレベルの品質が得られる。ビット誤り率が第１の閾値よりも高いならば、コントローラ２１３はマルチプレックスの品質が悪いと決定する。ビット誤り率が第２の閾値よりも低いならば、コントローラ２１３はマルチプレックスの品質が良好であると決定する。ビット誤り率が第１の閾値と第２の閾値との間であるならば、コントローラ２１３はマルチプレックスの品質が中間であると決定する。
【００３１】
第４のチャネル１０４上のマルチプレックスの品質は次にディスプレイ２２に表示される。このディスプレイ２２は試験装置２１の一部でもよく、或いは、別個のディスプレイでもよい。第４のチャネル１０４の品質に加えて、ディスプレイ２２は、マルチプレックスの名前、または、このマルチプレックスに含まれるチャネルの名前のようなさらなる情報を表示可能である。実際には、この情報はマルチプレックスと共に送信され復調されるので、コントローラ２１３はこの情報の知識を持ち、それを表示するようにディスプレイ２２へ命令することができる。
【００３２】
その結果として、マルチプレックスの品質は、最終的にマルチプレックスに関するさらなる情報と共に、直接表示されるので、ディスプレイ２２に表示された指標を解釈することが非常に簡単である。したがって、試験装置２１のユーザは、マルチプレックスの品質へ即座にアクセスできるので、テクノロジーの知識がなくてもかまわない。
【００３３】
次に、周波数帯域内の別のマルチプレックスを見つけるために、上記のステップが繰り返される。これらのステップは、第４のチャネル１０４の品質が表示されるある一定の時間の後に、即ち、たとえば、試験装置２１のインタフェース上のキーを押下することによりユーザが別のマルチプレックスの検出を要求した後に、繰り返され得る。
【００３４】
復調器２１１およびデジタル誤り訂正器２１２は当業者に知られている。たとえば、ＴＤＡ１００４６という名称で出願人によって販売されている回路はこのような復調器およびこのようなデジタル誤り訂正器を具備する。
【００３５】
図３は図２のデジタル誤り訂正器を説明する図である。デジタル誤り訂正器２１２は、ビタビ訂正器３１、リード・ソロモン訂正器３２、第１の比較器３３および第２の比較器３４を具備する。ＤＶＢ−Ｔのためのデジタル信号の符号化は、規格ＥＴＳＩ  ＥＮ  ３００  ７４４に規定されている。ＤＶＢ−Ｔ信号は、受信信号を修正するために使用される畳み込み訂正符号およびリード・ソロモン訂正符号を含む。ＤＶＢ−Ｔデータは２０４バイトのパケットによってブロードキャストされ、各パケットは畳み込み符号およびリード・ソロモン訂正符号を含む。
【００３６】
図２のデジタル誤り訂正器２１２が復調信号を受信するとき、第１の訂正が、ビタビ訂正器３１を用いて、この復調信号のパケットに実行される。次に、第２の訂正が、リード・ソロモン訂正器３２を用いて、訂正パケットに実行される。復調信号とビタビ訂正器３１の出力における訂正信号との比較によって生じる第１のビット誤り率ＢＥＲ１が測定される。ビタビ訂正器３１の出力における訂正信号とリード・ソロモン訂正器３２の出力における訂正信号との比較によって生じる第２のビット誤り率ＢＥＲ２が測定される。ビット誤り率は、比較的長い期間に亘って、たとえば、数百ミリ秒に亘って決定される。
【００３７】
第１のビット誤り率ＢＥＲ１および第２のビット誤り率ＢＥＲ２は、閾値との比較によりチャネルの品質を決定するためにコントローラ２１３によって使用可能である。しかし、好ましくは、チャネルの品質のより良い決定をもたらす第２のビット誤り率ＢＥＲ２を使用する。
【００３８】
デジタル誤り訂正器２１２はまた、訂正不能のパケットの個数Ｎ、すなわち、この期間中に訂正されなかったパケットの個数を決定することができる。この訂正不能のパケットの個数Ｎは対応するチャネルの品質を決定するために考慮される。実際には、いくつかのパケットは上記期間中に訂正されない可能性があり、その理由は、これらのパケットのそれぞれが、ビタビ訂正器３１およびリード・ソロモン訂正器３２が訂正可能である個数よりも多数の誤ったバイトを含むからである。しかし、他のパケットに含まれる誤ったバイトの個数が比較的少ないならば、第２のビット誤り率ＢＥＲ２は、比較的長い期間に亘って測定されるので比較的低い。したがって、訂正不能のパケットが存在し、そのパケットが得られる視聴覚コンテンツの品質を劣化させるが、コントローラ２１３はチャネルの品質が良好であると決定する。
【００３９】
訂正不能のパケットの個数Ｎを考慮することによって、チャネルの品質の決定が改良される。たとえば、コントローラ２１３は、ビット誤り率が閾値よりも低く場合、並びに、訂正不能のパケットが存在しない場合、または、訂正不能の個数が別の閾値、たとえば、２よりも少ない場合、チャネルの品質が良好であると決定することができる。
【００４０】
図４は本発明の有利な実施形態によるチャネルの個数を決定する方法を説明する図である。本発明の有利な実施形態の目標は、所定の品質を有するマルチプレックスを含むチャネルの個数を決定することである。以下に記載された実施例は、チャネルの品質を決定するために唯一の閾値がコントローラ２１３によって使用され、訂正不能のパケットの個数がチャネルの品質を決定するために考慮されないケースについて適用される。勿論、この有利な実施形態は、チャネルの品質を決定するために訂正不能のパケットの個数を考慮することにより、より多数の閾値、すなわち、より多数の品質レベルに適用可能である。以下に記載された実施例において、この方法は、所定の周波数帯域内で良好な品質を有するチャネルの個数Ｘを決定するため使用される。
【００４１】
ステップ４１において、個数Ｘはゼロにセットされ、コントローラ２１３はチューナ２１０に命令を送信し、チューナ２１０は周波数帯域の第１のチャネルの中心周波数に対応する周波数で受信された信号を中間周波数の信号へ変換する。この信号は復調され、ステップ４２において、チャネルはマルチプレックスを含むか否かが決定される。イエスであるならば、デジタル信号のビット誤り率が測定され、ステップ４３において、閾値と比較される。デジタル信号のビット誤り率が閾値よりも低いならば、チャネルの品質は良好であることを示し、個数Ｘがステップ４４でインクリメントされる。デジタル信号のビット誤り率が閾値よりも高いならば、チャネルの品質は悪いことを示し、個数Ｘはステップ４５でインクリメントされない。次に、ステップ４６において、品質を判定されたチャネルが周波数帯域内で最後のチャネルであるか否かがチェックされる。ステップ４２において、チャネルがマルチプレックスを含まないならば、次のステップはステップ４６であり、そのチャネルが周波数帯域内の最後のチャネルであるかチェックされる。
【００４２】
処理されたチャネルが最後のチャネルでないならば、コントローラ２１３は、ステップ４７において、チューナ２１０に命令を送信するので、チューナ２１０は、周波数帯域における次のチャネルの中心周波数に対応する周波数で受信された信号を中間周波数の信号へ変換する。次に、ステップ４２において、次のチャネルがマルチプレックスを含むかがチェックされ、以下同様に続く。
【００４３】
処理されたチャネルがステップ４６において最後のチャネルであるならば、数Ｘは、周波数帯域内で良好な品質を有するチャネルの個数に対応する。この数は、ステップ４８において、表示されるようディスプレイ２２へ送信される。次に、ステップ４１が実行され、良好な品質を有するチャネルの個数の新たな決定が実行される。良好な品質を有するチャネルの個数の連続的な判定を実行する方が有利である。実際には、良好な品質を有する多数のマルチプレックスを取得するためにアンテナを特定の方向へ向けたい場合、良好な品質を有するマルチプレックスの個数はアンテナの向きに依存し得る。連続的に測定することによって、アンテナの最良の向きを見つけることが可能である。
【００４４】
その結果として、本発明の本実施形態は、良好な品質で受信されたマルチプレックスの個数を迅速に取得することを可能にさせるので、特に有利である。実際には、このような決定は数秒を必要とし、一般には、１０秒未満である。さらに、このような判定は、周波数帯域、閾値およびチャネル幅が試験装置内で予め定められているケースでは、アンテナの出力を試験装置へ接続することだけを要求するので、特に簡単である。したがって、ユーザは、テクノロジーについての知識が無くても、受信したマルチプレックスの個数を知ることができる。
【００４５】
ディスプレイ２２は、たとえば、良好な品質を有するチャネルに対応するＬＥＤがスイッチオンされる一組のＬＥＤでもよい。３レベル以上の品質が定義されるならば、ディスプレイ２２は２組以上のＬＥＤを含む。
【００４６】
ディスプレイ２２はまた液晶ディスプレイでもよい。このケースでは、付加的な情報がディスプレイ２２に表示され得る。実際には、ディスプレイ２２は同時に良好な品質を有するマルチプレックスの名前、即ち、これらのマルチプレックスのチャネルの名前を表示する。これを実現するため、図４に記載された方法は、良好な品質を有するマルチプレックスに関連した情報を記憶するステップをさらに含む。
【００４７】
本発明による装置は、信号を送信する少なくとも１つの発信機、伝送チャネル、および、上記信号を受信する受信機を備えた電気通信ネットワークの一部でもよい。
【００４８】
本発明による複数のチャネルを含む周波数帯域内でデジタル信号を含む少なくとも一つのチャネルの品質を決定する方法は、試験装置に組み込まれることが意図された集積回路で実施してもよい。プログラムメモリ内に取り込まれる一組の命令はその集積回路に方法を実行させる。命令のセットは、たとえば、ディスクのようなデータ担体に記憶させてもよい。命令のセットは、集積回路のプログラムメモリへ取り込まれるようにデータ担体から読み出し可能であり、次に集積回路がその役目を果たす。
【００４９】
特許請求の範囲に記載されたあらゆる参照符号は請求項を限定するように解釈されるべきでない。動詞「含む、具備する（ｔｏ  ｃｏｍｐｒｉｓｅ）」およびその活用形の使用が請求項に記載されていない他の要素の存在を除外しないことは自明である。要素の前に置かれた冠詞「ａ」または「ａｎ」はこのような要素が複数個存在することを除外するものではない。
【図面の簡単な説明】
【００５０】
【図１ａ】複数のチャネルを含む周波数帯域を概略的に説明する図である。
【図１ｂ】図１ａの３チャネルを詳細に説明する図である。
【図２】本発明による試験装置を説明するブロック図である。
【図３】図２のデジタル誤り訂正器を説明するブロック図である。
【図４】本発明の有利な実施形態によるチャネルの個数を決定する方法を説明する図である。
2006522526.tif 000003
【図２】
2006522526.tif 000004
【図３】
2006522526.tif 000005
【図４】
2006522526.tif 000006
【国際調査報告】
2006522526.tif 000007
2006522526.tif 000008